(57)【要約】【課題】本発明は断熱手袋を素早く冷却する設備を開示した。【解決手段】本発明は断熱手袋を素早く冷却する設備を公示し、冷却箱及び前記冷却箱の中に設置された締付チャンバを含み、前記締付チャンバの中には締付装置が設置され、前記締付装置は前後対称に設置された締付ブロックを含み、前記冷却箱の中には動力チャンバが設置され、前記動力チャンバの中には動力装置が設置され、前記冷却箱の中には切替チャンバが設置され、前記切替チャンバの中には切替装置が設置され、作業用に加熱され、すぐには使用できない断熱手袋を素早く作業可能の温度に冷却させ、効率を高め、また、手袋が加熱された後、表面温度は高いため、直接手で取りにくく、本発明では締付装置を提供し、簡単に手袋を取り外せる。【選択図】図１
2020176365.tif 000002
【特許請求の範囲】
【請求項１】
正面視で、冷却箱及び前記冷却箱の中に設置された締付チャンバを含み、前記締付チャンバの中には締付装置が設置され、前記締付装置は前後対称に設置された締付ブロックを含み、前記冷却箱の中には動力チャンバが設置され、前記動力チャンバの中には動力装置が設置され、前記冷却箱の中には切替チャンバが設置され、前記切替チャンバの中には切替装置が設置され、前記切替装置は切替軸と、前記切替軸の上端に固定的に連結された切替ブロックと、切替連結棒によって前記切替ブロックと連結された切替箱とを含み、前記切替箱の中には上方に開口した手袋チャンバが設置され、前記切替チャンバの頂壁には上下に貫通した入れ穴が設置され、手を前記入れ穴から前記手袋チャンバの中に入れることができ、手袋を前記手袋チャンバの中に置くことができ、前記手袋の上端には固定環が固定的に設置され、前記締付ブロックが前記手袋チャンバの中に伸びており、且つ前記手袋を締め付け、前記冷却箱の中には冷却チャンバが設置され、前記冷却チャンバの中には冷却装置が設置され、前記冷却装置は送風箱と、ファン軸と、ファンと、ファンチャンバとを含み、前記ファン軸が前記冷却チャンバの頂壁に回転可能に設置され、前記ファンが前記ファンチャンバの中に設置され、且つ前記ファン軸の下端と固定的に連結され、前記ファンチャンバの底壁には送風管が固定的に設置され、前記送風管が前記ファンチャンバと前記冷却チャンバとを連通し、前記送風箱の中には前記ファンチャンバの外側に位置し、且つ前記ファンチャンバを囲む冷却液チャンバが設置され、前記動力装置と前記切替装置と、前記締付装置と、前記冷却装置とが伝動可能に連結されていることを特徴とする断熱手袋を素早く冷却する設備。
【請求項２】
前記切替軸が前記動力チャンバの底壁に回転可能に設置され、前記切替軸には切替ギアが固定的に設置され、前記切替軸の上端が前記切替チャンバの中に位置し、且つ前記切替ブロックと固定的に連結されており、前記切替チャンバの頂壁には上下に貫通したつけ穴が設置されていることを特徴とする請求項１に記載の断熱手袋を素早く冷却する設備。
【請求項３】
前記締付装置は前記締付チャンバの左側内壁の中に設置された第一スライド溝を含み、前記第一スライド溝の中には第一スライドブロックがスライド可能に設置され、前記第一スライドブロックの上端面と前記第一スライド溝の頂壁との間には第一ばねが固定的に設置され、前記第一スライドブロックの右側端面には付勢板が固定的に設置され、前記付勢板の上端には第一ラックが固定的に設置され、前記締付チャンバの後壁にはカム軸が回転可能に設置され、前記カム軸には前記付勢板の下端面と当接したカムが固定的に設置され、前記締付チャンバの後壁には回転盤軸が回転可能に設置され、前記回転盤軸には第一ラックと噛み合った回転盤ギアが固定的に設置され、前記締付チャンバの後壁には第二スライド溝が設置され、前記第二スライド溝の中には第二スライドブロックがスライド可能に設置され、前記第二スライドブロックの前端面と前記回転盤ギアの前端面との間にはヒンジ連結棒がヒンジで連結されており、前記第二スライドブロックの右側端面には緩衝装置が固定的に設置され、前記緩衝装置は緩衝ブロックを含み、前記緩衝ブロックの中には向き合って開口した緩衝チャンバが設置され、前記緩衝チャンバの中には前記締付ブロックがスライド可能に設置され、前記締付ブロックと前記緩衝チャンバの内壁との間には第三ばねが固定的に連結されており、
また、前記締付ブロックの後壁には第三スライド溝が設置され、前記第三スライド溝の中には第二緩衝装置がスライド可能に設置され、前記第三スライド溝の内壁と前記第二緩衝装置の中に位置する前記緩衝ブロックとの間には第二ばねが固定的に連結され、前記緩衝装置の中に位置する前記緩衝ブロックの底壁には連結棒が固定的に設置され、前記連結棒の下端には第二ラックが固定的に設置され、前記締付チャンバの後壁には糸巻輪軸が回転可能に設置され、前記糸巻輪には前記第二ラックと噛み合った糸巻輪ギアが固定的に設置され、前記糸巻輪には糸巻輪が固定的に設置され、前記糸巻輪には引き糸が巻き付いており、前記引き糸の一端が前記第二緩衝装置の中に位置する前記緩衝ブロックの右側端面と固定的に連結されていることを特徴とする請求項１に記載の断熱手袋を素早く冷却する設備。
【請求項４】
前記動力装置は前記動力チャンバの底壁に固定的に設置されたモータを含み、前記モータの動力軸にはファンプーリが固定的に設置され、前記モータの動力軸の上端には扇形ギアが固定的に設置され、前記動力チャンバの底壁には減速軸が回転可能に設置され、前記減速軸と前記カム軸とが伝動プーリによって伝動可能に連結され、前記動力チャンバの頂壁には伝動軸が回転可能に設置され、前記伝動軸と前記減速軸とが減速器によって伝動可能に連結され、前記伝動軸には締付ギアが固定的に設置されていることを特徴とする請求項１に記載の断熱手袋を素早く冷却する設備。
【請求項５】
前記ファン軸の上には前記ファンプーリとベルトによって連結された協働プーリが固定的に設置され、前記冷却チャンバの後壁には送風箱が固定的に設置され、前記送風箱の中にはファンチャンバが設置され、前記ファン軸が前記ファンチャンバの中に伸びており、且つ前記ファンと固定的に連結されていることを特徴とする請求項１に記載の断熱手袋を素早く冷却する設備。
【発明の詳細な説明】
【技術分野】
【０００１】
本発明は工業技術分野に関わり、具体的には断熱手袋を素早く冷却する設備である。
【背景技術】
【０００２】
既存する断熱作業用手袋は、基本的にニットの表面層で、内面に断熱層を加えている。しかし、これでは、断熱層が作業の度に加熱され、次の作業に入るには手袋の冷却を待たなければならなく、効率が非常に悪い。また、断熱手袋は基本的には長いため、つけるのも一苦労である。以上の欠陥を補うため、本設備を提供する。
【先行技術文献】
【特許文献】
【０００３】
【特許文献１】中国特許出願公開第１０９２６１５７３号明細書
【発明の概要】
【発明が解決しようとする課題】
【０００４】
本発明は断熱手袋を素早く冷却する設備を提供し、既存技術にある上記の欠点を解消することを目的とする。
【課題を解決するための手段】
【０００５】
本発明である断熱手袋を素早く冷却する設備は、冷却箱及び前記冷却箱の中に設置された締付チャンバを含み、前記締付チャンバの中には締付装置が設置され、前記締付装置は前後対称に設置された締付ブロックを含み、前記冷却箱の中には動力チャンバが設置され、前記動力チャンバの中には動力装置が設置され、前記冷却箱の中には切替チャンバが設置され、前記切替チャンバの中には切替装置が設置され、前記切替装置は切替軸と、前記切替軸の上端に固定的に連結された切替ブロックと、切替連結棒によって前記切替ブロックと連結された切替箱とを含み、前記切替箱の中には上方に開口した手袋チャンバが設置され、前記切替チャンバの頂壁には上下に貫通した入れ穴が設置され、手を前記入れ穴から前記手袋チャンバの中に入れることができ、手袋を前記手袋チャンバの中に置くことができ、前記手袋の上端には固定環が固定的に設置され、前記締付ブロックが前記手袋チャンバの中に伸びており、且つ前記手袋を締め付け、前記冷却箱の中には冷却チャンバが設置され、前記冷却チャンバの中には冷却装置が設置され、前記冷却装置は送風箱と、ファン軸と、ファンと、ファンチャンバとを含み、前記ファン軸が前記冷却チャンバの頂壁に回転可能に設置され、前記ファンが前記ファンチャンバの中に設置され、且つ前記ファン軸の下端と固定的に連結され、前記ファンチャンバの底壁には送風管が固定的に設置され、前記送風管が前記ファンチャンバと前記冷却チャンバとを連通し、前記送風箱の中には前記ファンチャンバの外側に位置し、且つ前記ファンチャンバを囲む冷却液チャンバが設置され、前記動力装置と前記切替装置と、前記締付装置と、前記冷却装置とが伝動可能に連結されている。
【０００６】
好ましくは、前記切替軸が前記動力チャンバの底壁に回転可能に設置され、前記切替軸には切替ギアが固定的に設置され、前記切替軸の上端が前記切替チャンバの中に位置し、且つ前記切替ブロックと固定的に連結されており、前記切替チャンバの頂壁には上下に貫通したつけ穴が設置されている。
【０００７】
好ましくは、前記締付装置は前記締付チャンバの左側内壁の中に設置された第一スライド溝を含み、前記第一スライド溝の中には第一スライドブロックがスライド可能に設置され、前記第一スライドブロックの上端面と前記第一スライド溝の頂壁との間には第一ばねが固定的に設置され、前記第一スライドブロックの右側端面には付勢板が固定的に設置され、前記付勢板の上端には第一ラックが固定的に設置され、前記締付チャンバの後壁にはカム軸が回転可能に設置され、前記カム軸には前記付勢板の下端面と当接したカムが固定的に設置され、前記締付チャンバの後壁には回転盤軸が回転可能に設置され、前記回転盤軸には第一ラックと噛み合った回転盤ギアが固定的に設置され、前記締付チャンバの後壁には第二スライド溝が設置され、前記第二スライド溝の中には第二スライドブロックがスライド可能に設置され、前記第二スライドブロックの前端面と前記回転盤ギアの前端面との間にはヒンジ連結棒がヒンジで連結されており、前記第二スライドブロックの右側端面には緩衝装置が固定的に設置され、前記緩衝装置は緩衝ブロックを含み、前記緩衝ブロックの中には向き合って開口した緩衝チャンバが設置され、前記緩衝チャンバの中には前記締付ブロックがスライド可能に設置され、前記締付ブロックと前記緩衝チャンバの内壁との間には第三ばねが固定的に連結されており、
また、前記締付ブロックの後壁には第三スライド溝が設置され、前記第三スライド溝の中には第二緩衝装置がスライド可能に設置され、前記第三スライド溝の内壁と前記第二緩衝装置の中に位置する前記緩衝ブロックとの間には第二ばねが固定的に連結され、前記緩衝装置の中に位置する前記緩衝ブロックの底壁には連結棒が固定的に設置され、前記連結棒の下端には第二ラックが固定的に設置され、前記締付チャンバの後壁には糸巻輪軸が回転可能に設置され、前記糸巻輪には前記第二ラックと噛み合った糸巻輪ギアが固定的に設置され、前記糸巻輪には糸巻輪が固定的に設置され、前記糸巻輪には引き糸が巻き付いており、前記引き糸の一端が前記第二緩衝装置の中に位置する前記緩衝ブロックの右側端面と固定的に連結されている。
【０００８】
好ましくは、前記動力装置は前記動力チャンバの底壁に固定的に設置されたモータを含み、前記モータの動力軸にはファンプーリが固定的に設置され、前記モータの動力軸の上端には扇形ギアが固定的に設置され、前記動力チャンバの底壁には減速軸が回転可能に設置され、前記減速軸と前記カム軸とが伝動プーリによって伝動可能に連結され、前記動力チャンバの頂壁には伝動軸が回転可能に設置され、前記伝動軸と前記減速軸とが減速器によって伝動可能に連結され、前記伝動軸には締付ギアが固定的に設置されている。
【０００９】
好ましくは、前記ファン軸の上には前記ファンプーリとベルトによって連結された協働プーリが固定的に設置され、前記冷却チャンバの後壁には送風箱が固定的に設置され、前記送風箱の中にはファンチャンバが設置され、前記ファン軸が前記ファンチャンバの中に伸びており、且つ前記ファンと固定的に連結されている。
【発明の効果】
【００１０】
本発明はシンプルな構成と簡単な使用方法を有し、作業用に加熱され、すぐには使用できない断熱手袋を素早く作業可能の温度に冷却させ、効率を高め、また、手袋が加熱された後、表面温度は高いため、直接手で取りにくく、本発明では締付装置を提供し、簡単に手袋を取り外せる。
【図面の簡単な説明】
【００１１】
下記に図１〜４を交え、本発明について詳しく説明し、また、わかりやすく説明できるよう、下記の方位を規定する：以下のように規定する：図１は本発明装置の正面図であり、以下に述べる上下左右前後の方向と図１本体の投影関係の上下左右前後の方向とが一致である。
【００１２】
【図１】図１は本発明である断熱手袋を素早く冷却する設備の全体構成略図
【図２】図２は図１におけるＡ―Ａ箇所の構成略図
【図３】図３は図１におけるＢ―Ｂ箇所の構成略図
【図４】図４は図１におけるＣ―Ｃ箇所の構成略図
【発明を実施するための形態】
【００１３】
図１〜４が示したよう、本発明である断熱手袋を素早く冷却する設備は、冷却箱１０及び前記冷却箱１０の中に設置された締付チャンバ１８を含み、前記締付チャンバ１８の中には締付装置２００が設置され、前記締付装置２００は前後対称に設置された締付ブロック３１を含み、前記冷却箱１０の中には動力チャンバ３９が設置され、前記動力チャンバ３９の中には動力装置３００が設置され、前記冷却箱１０の中には切替チャンバ５９が設置され、前記切替チャンバ５９の中には切替装置１００が設置され、前記切替装置１００は切替軸４７と、前記切替軸４７の上端に固定的に連結された切替ブロック３４と、切替連結棒３０によって前記切替ブロック３４と連結された切替箱５８とを含み、前記切替箱５８の中には上方に開口した手袋チャンバ２９が設置され、前記切替チャンバ５９の頂壁には上下に貫通した入れ穴５７が設置され、手を前記入れ穴５７から前記手袋チャンバ２９の中に入れることができ、手袋２７を前記手袋チャンバ２９の中に置くことができ、前記手袋２７の上端には固定環６１が固定的に設置され、前記締付ブロック３１が前記手袋チャンバ２９の中に伸びており、且つ前記手袋２７を締め付け、前記冷却箱１０の中には冷却チャンバ４９が設置され、前記冷却チャンバ４９の中には冷却装置４００が設置され、前記冷却装置４００は送風箱５１と、ファン軸５３と、ファン５４と、ファンチャンバ５５とを含み、前記ファン軸５３が前記冷却チャンバ４９の頂壁に回転可能に設置され、前記ファン５４が前記ファンチャンバ５５の中に設置され、且つ前記ファン軸５３の下端と固定的に連結され、前記ファンチャンバ５５の底壁には送風管５０が固定的に設置され、前記送風管５０が前記ファンチャンバ５５と前記冷却チャンバ４９とを連通し、前記送風箱５１の中には前記ファンチャンバ５５の外側に位置し、且つ前記ファンチャンバ５５を囲む冷却液チャンバ５６が設置され、前記動力装置３００と前記切替装置１００と、前記締付装置２００と、前記冷却装置４００とが伝動可能に連結されている。
【００１４】
好ましくは、前記切替軸４７が前記動力チャンバ３９の底壁に回転可能に設置され、前記切替軸４７には切替ギア４８が固定的に設置され、前記切替軸４７の上端が前記切替チャンバ５９の中に位置し、且つ前記切替ブロック３４と固定的に連結されており、前記切替チャンバ５９の頂壁には上下に貫通したつけ穴６０が設置されている。
【００１５】
好ましくは、前記締付装置２００は前記締付チャンバ１８の左側内壁の中に設置された第一スライド溝１２を含み、前記第一スライド溝１２の中には第一スライドブロック１４がスライド可能に設置され、前記第一スライドブロック１４の上端面と前記第一スライド溝１２の頂壁との間には第一ばね１３が固定的に設置され、前記第一スライドブロック１４の右側端面には付勢板１５が固定的に設置され、前記付勢板１５の上端には第一ラック１６が固定的に設置され、前記締付チャンバ１８の後壁にはカム軸１６が回転可能に設置され、前記カム軸１６には前記付勢板１５の下端面と当接したカム１７が固定的に設置され、前記締付チャンバ１８の後壁には回転盤軸２４が回転可能に設置され、前記回転盤軸２４には第一ラック１１と噛み合った回転盤ギア２５が固定的に設置され、前記締付チャンバ１８の後壁には第二スライド溝６２が設置され、前記第二スライド溝６２の中には第二スライドブロック２３がスライド可能に設置され、前記第二スライドブロック２３の前端面と前記回転盤ギア２５の前端面との間にはヒンジ連結棒２６がヒンジで連結されており、前記第二スライドブロック２３の右側端面には緩衝装置が固定的に設置され、前記緩衝装置は緩衝ブロック２２を含み、前記緩衝ブロック２２の中には向き合って開口した緩衝チャンバ３２が設置され、前記緩衝チャンバ３２の中には前記締付ブロック３１がスライド可能に設置され、前記締付ブロック３１と前記緩衝チャンバ３２の内壁との間には第三ばね３７が固定的に連結されており、
また、前記締付ブロック１８の後壁には第三スライド溝３３が設置され、前記第三スライド溝３３の中には第二緩衝装置がスライド可能に設置され、前記第三スライド溝３３の内壁と前記第二緩衝装置の中に位置する前記緩衝ブロック２２との間には第二ばね３６が固定的に連結され、前記緩衝装置の中に位置する前記緩衝ブロック２２の底壁には連結棒２１が固定的に設置され、前記連結棒２１の下端には第二ラック２０が固定的に設置され、前記締付チャンバ１８の後壁には糸巻輪軸１９が回転可能に設置され、前記糸巻輪１９には前記第二ラック２０と噛み合った糸巻輪ギア４１が固定的に設置され、前記糸巻輪１９には糸巻輪２８が固定的に設置され、前記糸巻輪２８には引き糸３８が巻き付いており、前記引き糸３８の一端が前記第二緩衝装置の中に位置する前記緩衝ブロック２２の右側端面と固定的に連結されている。
【００１６】
好ましくは、前記動力装置３００は前記動力チャンバ３９の底壁に固定的に設置されたモータ４６を含み、前記モータ４６の動力軸にはファンプーリ４５が固定的に設置され、前記モータ４６の動力軸の上端には扇形ギア４０が固定的に設置され、前記動力チャンバ３９の底壁には減速軸６３が回転可能に設置され、前記減速軸６３と前記カム軸１６とが伝動プーリ４４によって伝動可能に連結され、前記動力チャンバ３９の頂壁には伝動軸３５が回転可能に設置され、前記伝動軸３５と前記減速軸６３とが減速器４３によって伝動可能に連結され、前記伝動軸３５には締付ギア４２が固定的に設置されている。  
【００１７】
好ましくは、前記ファン軸５３の上には前記ファンプーリ４５とベルトによって連結された協働プーリ５２が固定的に設置され、前記冷却チャンバ４９の後壁には送風箱５１が固定的に設置され、前記送風箱５１の中にはファンチャンバ５５が設置され、前記ファン軸５３が前記ファンチャンバ５５の中に伸びており、且つ前記ファン５４と固定的に連結されている。
【００１８】
本発明の断熱手袋を素早く冷却する設備の実施例は、以下のステップを含み：
【００１９】
手袋をつけた手を前記手袋チャンバ２９の中に伸び、前記モータ４６を起動し、前記扇形ギア４０と、前記締付ギア４２の回転によって、前記伝動軸３５は回転させ、前記伝動軸３５は前記減速器４３に減速された後、前記前記減速軸６３を回転連動させ、前記減速軸６３が前記伝動プーリ４４と前記カム軸１６とによって前記カム１７を回転させ、また、前記付勢板１５と前記第一ラック１１とによって前記回転盤ギア２５を回転させ、前記回転盤ギア２５が前記ヒンジ連結棒２６と前記第二スライドブロック２３とによって、前記緩衝ブロック２２を前記手袋チャンバ２９の中に伸びさせ、前記緩衝装置が前記第二緩衝装置の中に位置する前記締付ブロック３１を前記手袋チャンバ２９の中に伸びさせ、前記締付ブロック３１が前記手袋２７を締め付け、前記モータ４６が止め、手を出し、前記モータ４６を起動し、前記カム１７が初期位置に回転することで、前記緩衝装置と前記第二緩衝装置とを前記手袋チャンバ２９の中から離脱させ、前記扇形ギア４０と前記切替ギア４８とが噛み合い、また前記切替軸４７と、前記切替ブロック３４と、前記切替連結棒３０とによって、前記切替箱５８を前記冷却装置４００の下側に回転させ、前記ファンプーリ４５が前記協働プーリ５２と前記ファン軸５３とによって前記ファン５４を連動させ、送風冷却を行い、この時、手をつけ穴６０に伸び  、前記手袋チャンバ２９の中に入り、手袋をつける。
【００２０】
本発明はシンプルな構成と簡単な使用方法を有し、作業用に加熱され、すぐには使用できない断熱手袋を素早く作業可能の温度に冷却させ、効率を高め、また、手袋が加熱された後、表面温度は高いため、直接手で取りにくく、本発明では締付装置を提供し、簡単に手袋を取り外せる。
【００２１】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020176365.tif 000003
【図２】
2020176365.tif 000004
【図３】
2020176365.tif 000005
【図４】
2020176365.tif 000006
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
正面視で、冷却箱及び前記冷却箱の中に設置された締付チャンバを含み、前記締付チャンバの中には締付装置が設置され、前記締付装置は前後対称に設置された締付ブロックを含み、前記冷却箱の中には動力チャンバが設置され、前記動力チャンバの中には動力装置が設置され、前記冷却箱の中には切替チャンバが設置され、前記切替チャンバの中には切替装置が設置され、前記切替装置は切替軸と、前記切替軸の上端に固定的に連結された切替ブロックと、切替連結棒によって前記切替ブロックと連結された切替箱とを含み、前記切替箱の中には上方に開口した手袋チャンバが設置され、前記切替チャンバの頂壁には上下に貫通した入れ穴が設置され、手を前記入れ穴から前記手袋チャンバの中に入れることができ、手袋を前記手袋チャンバの中に置くことができ、前記手袋の上端には固定環が固定的に設置され、前記締付ブロックが前記手袋チャンバの中に伸びており、且つ前記手袋を締め付け、前記冷却箱の中には冷却チャンバが設置され、前記冷却チャンバの中には冷却装置が設置され、前記冷却装置は送風箱と、ファン軸と、ファンと、ファンチャンバとを含み、前記ファン軸が前記冷却チャンバの頂壁に回転可能に設置され、前記ファンが前記ファンチャンバの中に設置され、且つ前記ファン軸の下端と固定的に連結され、前記ファンチャンバの底壁には送風管が固定的に設置され、前記送風管が前記ファンチャンバと前記冷却チャンバとを連通し、前記送風箱の中には前記ファンチャンバの外側に位置し、且つ前記ファンチャンバを囲む冷却液チャンバが設置され、前記動力装置と前記切替装置と、前記締付装置と、前記冷却装置とが伝動可能に連結され、
前記切替軸が前記動力チャンバの底壁に回転可能に設置され、前記切替軸には切替ギアが固定的に設置され、前記切替軸の上端が前記切替チャンバの中に位置し、且つ前記切替ブロックと固定的に連結されており、前記切替チャンバの頂壁には上下に貫通したつけ穴が設置され、
前記締付装置は前記締付チャンバの左側内壁の中に設置された第一スライド溝を含み、前記第一スライド溝の中には第一スライドブロックがスライド可能に設置され、前記第一スライドブロックの上端面と前記第一スライド溝の頂壁との間には第一ばねが固定的に設置され、前記第一スライドブロックの右側端面には付勢板が固定的に設置され、前記付勢板の上端には第一ラックが固定的に設置され、前記締付チャンバの後壁にはカム軸が回転可能に設置され、前記カム軸には前記付勢板の下端面と当接したカムが固定的に設置され、前記締付チャンバの後壁には回転盤軸が回転可能に設置され、前記回転盤軸には第一ラックと噛み合った回転盤ギアが固定的に設置され、前記締付チャンバの後壁には第二スライド溝が設置され、前記第二スライド溝の中には第二スライドブロックがスライド可能に設置され、前記第二スライドブロックの前端面と前記回転盤ギアの前端面との間にはヒンジ連結棒がヒンジで連結されており、前記第二スライドブロックの右側端面には緩衝装置が固定的に設置され、前記緩衝装置は緩衝ブロックを含み、前記緩衝ブロックの中には向き合って開口した緩衝チャンバが設置され、前記緩衝チャンバの中には前記締付ブロックがスライド可能に設置され、前記締付ブロックと前記緩衝チャンバの内壁との間には第三ばねが固定的に連結されており、
また、前記締付ブロックの後壁には第三スライド溝が設置され、前記第三スライド溝の中には第二緩衝装置がスライド可能に設置され、前記第三スライド溝の内壁と前記第二緩衝装置の中に位置する前記緩衝ブロックとの間には第二ばねが固定的に連結され、前記緩衝装置の中に位置する前記緩衝ブロックの底壁には連結棒が固定的に設置され、前記連結棒の下端には第二ラックが固定的に設置され、前記締付チャンバの後壁には糸巻輪軸が回転可能に設置され、前記糸巻輪軸には前記第二ラックと噛み合った糸巻輪ギアが固定的に設置され、前記糸巻輪軸には糸巻輪が固定的に設置され、前記糸巻輪には引き糸が巻き付いており、前記引き糸の一端が前記第二緩衝装置の中に位置する前記緩衝ブロックの右側端面と固定的に連結され、
前記動力装置は前記動力チャンバの底壁に固定的に設置されたモータを含み、前記モータの動力軸にはファンプーリが固定的に設置され、前記モータの動力軸の上端には扇形ギアが固定的に設置され、前記動力チャンバの底壁には減速軸が回転可能に設置され、前記減速軸と前記カム軸とが伝動プーリによって伝動可能に連結され、前記動力チャンバの頂壁には伝動軸が回転可能に設置され、前記伝動軸と前記減速軸とが減速器によって伝動可能に連結され、前記伝動軸には締付ギアが固定的に設置され、
前記ファン軸の上には前記ファンプーリとベルトによって連結された協働プーリが固定的に設置され、前記冷却チャンバの後壁には送風箱が固定的に設置され、前記送風箱の中にはファンチャンバが設置され、前記ファン軸が前記ファンチャンバの中に伸びており、且つ前記ファンと固定的に連結されていることを特徴とする断熱手袋を素早く冷却する設備。
【手続補正２】
【補正対象書類名】明細書
【補正対象項目名】全文
【補正方法】変更
【補正の内容】
【発明の詳細な説明】
【技術分野】
【０００１】
本発明は工業技術分野に関わり、具体的には断熱手袋を素早く冷却する設備である。
【背景技術】
【０００２】
既存する断熱作業用手袋は、基本的にニットの表面層で、内面に断熱層を加えている。しかし、これでは、断熱層が作業の度に加熱され、次の作業に入るには手袋の冷却を待たなければならなく、効率が非常に悪い。また、断熱手袋は基本的には長いため、つけるのも一苦労である。以上の欠陥を補うため、本設備を提供する。
【先行技術文献】
【特許文献】
【０００３】
【特許文献１】中国特許出願公開第１０９２６１５７３号明細書
【発明の概要】
【発明が解決しようとする課題】
【０００４】
本発明は断熱手袋を素早く冷却する設備を提供し、既存技術にある上記の欠点を解消することを目的とする。
【課題を解決するための手段】
【０００５】
本発明である断熱手袋を素早く冷却する設備は、冷却箱及び前記冷却箱の中に設置された締付チャンバを含み、前記締付チャンバの中には締付装置が設置され、前記締付装置は前後対称に設置された締付ブロックを含み、前記冷却箱の中には動力チャンバが設置され、前記動力チャンバの中には動力装置が設置され、前記冷却箱の中には切替チャンバが設置され、前記切替チャンバの中には切替装置が設置され、前記切替装置は切替軸と、前記切替軸の上端に固定的に連結された切替ブロックと、切替連結棒によって前記切替ブロックと連結された切替箱とを含み、前記切替箱の中には上方に開口した手袋チャンバが設置され、前記切替チャンバの頂壁には上下に貫通した入れ穴が設置され、手を前記入れ穴から前記手袋チャンバの中に入れることができ、手袋を前記手袋チャンバの中に置くことができ、前記手袋の上端には固定環が固定的に設置され、前記締付ブロックが前記手袋チャンバの中に伸びており、且つ前記手袋を締め付け、前記冷却箱の中には冷却チャンバが設置され、前記冷却チャンバの中には冷却装置が設置され、前記冷却装置は送風箱と、ファン軸と、ファンと、ファンチャンバとを含み、前記ファン軸が前記冷却チャンバの頂壁に回転可能に設置され、前記ファンが前記ファンチャンバの中に設置され、且つ前記ファン軸の下端と固定的に連結され、前記ファンチャンバの底壁には送風管が固定的に設置され、前記送風管が前記ファンチャンバと前記冷却チャンバとを連通し、前記送風箱の中には前記ファンチャンバの外側に位置し、且つ前記ファンチャンバを囲む冷却液チャンバが設置され、前記動力装置と前記切替装置と、前記締付装置と、前記冷却装置とが伝動可能に連結されている。
【０００６】
好ましくは、前記切替軸が前記動力チャンバの底壁に回転可能に設置され、前記切替軸には切替ギアが固定的に設置され、前記切替軸の上端が前記切替チャンバの中に位置し、且つ前記切替ブロックと固定的に連結されており、前記切替チャンバの頂壁には上下に貫通したつけ穴が設置されている。
【０００７】
好ましくは、前記締付装置は前記締付チャンバの左側内壁の中に設置された第一スライド溝を含み、前記第一スライド溝の中には第一スライドブロックがスライド可能に設置され、前記第一スライドブロックの上端面と前記第一スライド溝の頂壁との間には第一ばねが固定的に設置され、前記第一スライドブロックの右側端面には付勢板が固定的に設置され、前記付勢板の上端には第一ラックが固定的に設置され、前記締付チャンバの後壁にはカム軸が回転可能に設置され、前記カム軸には前記付勢板の下端面と当接したカムが固定的に設置され、前記締付チャンバの後壁には回転盤軸が回転可能に設置され、前記回転盤軸には第一ラックと噛み合った回転盤ギアが固定的に設置され、前記締付チャンバの後壁には第二スライド溝が設置され、前記第二スライド溝の中には第二スライドブロックがスライド可能に設置され、前記第二スライドブロックの前端面と前記回転盤ギアの前端面との間にはヒンジ連結棒がヒンジで連結されており、前記第二スライドブロックの右側端面には緩衝装置が固定的に設置され、前記緩衝装置は緩衝ブロックを含み、前記緩衝ブロックの中には向き合って開口した緩衝チャンバが設置され、前記緩衝チャンバの中には前記締付ブロックがスライド可能に設置され、前記締付ブロックと前記緩衝チャンバの内壁との間には第三ばねが固定的に連結されており、
また、前記締付ブロックの後壁には第三スライド溝が設置され、前記第三スライド溝の中には第二緩衝装置がスライド可能に設置され、前記第三スライド溝の内壁と前記第二緩衝装置の中に位置する前記緩衝ブロックとの間には第二ばねが固定的に連結され、前記緩衝装置の中に位置する前記緩衝ブロックの底壁には連結棒が固定的に設置され、前記連結棒の下端には第二ラックが固定的に設置され、前記締付チャンバの後壁には糸巻輪軸が回転可能に設置され、前記糸巻輪軸には前記第二ラックと噛み合った糸巻輪ギアが固定的に設置され、前記糸巻輪軸には糸巻輪が固定的に設置され、前記糸巻輪には引き糸が巻き付いており、前記引き糸の一端が前記第二緩衝装置の中に位置する前記緩衝ブロックの右側端面と固定的に連結されている。
【０００８】
好ましくは、前記動力装置は前記動力チャンバの底壁に固定的に設置されたモータを含み、前記モータの動力軸にはファンプーリが固定的に設置され、前記モータの動力軸の上端には扇形ギアが固定的に設置され、前記動力チャンバの底壁には減速軸が回転可能に設置され、前記減速軸と前記カム軸とが伝動プーリによって伝動可能に連結され、前記動力チャンバの頂壁には伝動軸が回転可能に設置され、前記伝動軸と前記減速軸とが減速器によって伝動可能に連結され、前記伝動軸には締付ギアが固定的に設置されている。
【０００９】
好ましくは、前記ファン軸の上には前記ファンプーリとベルトによって連結された協働プーリが固定的に設置され、前記冷却チャンバの後壁には送風箱が固定的に設置され、前記送風箱の中にはファンチャンバが設置され、前記ファン軸が前記ファンチャンバの中に伸びており、且つ前記ファンと固定的に連結されている。
【発明の効果】
【００１０】
本発明はシンプルな構成と簡単な使用方法を有し、作業用に加熱され、すぐには使用できない断熱手袋を素早く作業可能の温度に冷却させ、効率を高め、また、手袋が加熱された後、表面温度は高いため、直接手で取りにくく、本発明では締付装置を提供し、簡単に手袋を取り外せる。
【図面の簡単な説明】
【００１１】
下記に図１〜４を交え、本発明について詳しく説明し、また、わかりやすく説明できるよう、下記の方位を規定する：以下のように規定する：図１は本発明装置の正面図であり、以下に述べる上下左右前後の方向と図１本体の投影関係の上下左右前後の方向とが一致である。
【００１２】
【図１】図１は本発明である断熱手袋を素早く冷却する設備の全体構成略図
【図２】図２は図１におけるＡ―Ａ箇所の構成略図
【図３】図３は図１におけるＢ―Ｂ箇所の構成略図
【図４】図４は図１におけるＣ―Ｃ箇所の構成略図
【発明を実施するための形態】
【００１３】
図１〜４が示したよう、本発明である断熱手袋を素早く冷却する設備は、冷却箱１０及び前記冷却箱１０の中に設置された締付チャンバ１８を含み、前記締付チャンバ１８の中には締付装置２００が設置され、前記締付装置２００は前後対称に設置された締付ブロック３１を含み、前記冷却箱１０の中には動力チャンバ３９が設置され、前記動力チャンバ３９の中には動力装置３００が設置され、前記冷却箱１０の中には切替チャンバ５９が設置され、前記切替チャンバ５９の中には切替装置１００が設置され、前記切替装置１００は切替軸４７と、前記切替軸４７の上端に固定的に連結された切替ブロック３４と、切替連結棒３０によって前記切替ブロック３４と連結された切替箱５８とを含み、前記切替箱５８の中には上方に開口した手袋チャンバ２９が設置され、前記切替チャンバ５９の頂壁には上下に貫通した入れ穴５７が設置され、手を前記入れ穴５７から前記手袋チャンバ２９の中に入れることができ、手袋２７を前記手袋チャンバ２９の中に置くことができ、前記手袋２７の上端には固定環６１が固定的に設置され、前記締付ブロック３１が前記手袋チャンバ２９の中に伸びており、且つ前記手袋２７を締め付け、前記冷却箱１０の中には冷却チャンバ４９が設置され、前記冷却チャンバ４９の中には冷却装置４００が設置され、前記冷却装置４００は送風箱５１と、ファン軸５３と、ファン５４と、ファンチャンバ５５とを含み、前記ファン軸５３が前記冷却チャンバ４９の頂壁に回転可能に設置され、前記ファン５４が前記ファンチャンバ５５の中に設置され、且つ前記ファン軸５３の下端と固定的に連結され、前記ファンチャンバ５５の底壁には送風管５０が固定的に設置され、前記送風管５０が前記ファンチャンバ５５と前記冷却チャンバ４９とを連通し、前記送風箱５１の中には前記ファンチャンバ５５の外側に位置し、且つ前記ファンチャンバ５５を囲む冷却液チャンバ５６が設置され、前記動力装置３００と前記切替装置１００と、前記締付装置２００と、前記冷却装置４００とが伝動可能に連結されている。
【００１４】
好ましくは、前記切替軸４７が前記動力チャンバ３９の底壁に回転可能に設置され、前記切替軸４７には切替ギア４８が固定的に設置され、前記切替軸４７の上端が前記切替チャンバ５９の中に位置し、且つ前記切替ブロック３４と固定的に連結されており、前記切替チャンバ５９の頂壁には上下に貫通したつけ穴６０が設置されている。
【００１５】
好ましくは、前記締付装置２００は前記締付チャンバ１８の左側内壁の中に設置された第一スライド溝１２を含み、前記第一スライド溝１２の中には第一スライドブロック１４がスライド可能に設置され、前記第一スライドブロック１４の上端面と前記第一スライド溝１２の頂壁との間には第一ばね１３が固定的に設置され、前記第一スライドブロック１４の右側端面には付勢板１５が固定的に設置され、前記付勢板１５の上端には第一ラック１６が固定的に設置され、前記締付チャンバ１８の後壁にはカム軸１６が回転可能に設置され、前記カム軸１６には前記付勢板１５の下端面と当接したカム１７が固定的に設置され、前記締付チャンバ１８の後壁には回転盤軸２４が回転可能に設置され、前記回転盤軸２４には第一ラック１１と噛み合った回転盤ギア２５が固定的に設置され、前記締付チャンバ１８の後壁には第二スライド溝６２が設置され、前記第二スライド溝６２の中には第二スライドブロック２３がスライド可能に設置され、前記第二スライドブロック２３の前端面と前記回転盤ギア２５の前端面との間にはヒンジ連結棒２６がヒンジで連結されており、前記第二スライドブロック２３の右側端面には緩衝装置が固定的に設置され、前記緩衝装置は緩衝ブロック２２を含み、前記緩衝ブロック２２の中には向き合って開口した緩衝チャンバ３２が設置され、前記緩衝チャンバ３２の中には前記締付ブロック３１がスライド可能に設置され、前記締付ブロック３１と前記緩衝チャンバ３２の内壁との間には第三ばね３７が固定的に連結されており、
また、前記締付ブロック１８の後壁には第三スライド溝３３が設置され、前記第三スライド溝３３の中には第二緩衝装置がスライド可能に設置され、前記第三スライド溝３３の内壁と前記第二緩衝装置の中に位置する前記緩衝ブロック２２との間には第二ばね３６が固定的に連結され、前記緩衝装置の中に位置する前記緩衝ブロック２２の底壁には連結棒２１が固定的に設置され、前記連結棒２１の下端には第二ラック２０が固定的に設置され、前記締付チャンバ１８の後壁には糸巻輪軸１９が回転可能に設置され、前記糸巻輪軸１９には前記第二ラック２０と噛み合った糸巻輪ギア４１が固定的に設置され、前記糸巻輪軸１９には糸巻輪２８が固定的に設置され、前記糸巻輪２８には引き糸３８が巻き付いており、前記引き糸３８の一端が前記第二緩衝装置の中に位置する前記緩衝ブロック２２の右側端面と固定的に連結されている。
【００１６】
好ましくは、前記動力装置３００は前記動力チャンバ３９の底壁に固定的に設置されたモータ４６を含み、前記モータ４６の動力軸にはファンプーリ４５が固定的に設置され、前記モータ４６の動力軸の上端には扇形ギア４０が固定的に設置され、前記動力チャンバ３９の底壁には減速軸６３が回転可能に設置され、前記減速軸６３と前記カム軸１６とが伝動プーリ４４によって伝動可能に連結され、前記動力チャンバ３９の頂壁には伝動軸３５が回転可能に設置され、前記伝動軸３５と前記減速軸６３とが減速器４３によって伝動可能に連結され、前記伝動軸３５には締付ギア４２が固定的に設置されている。  
【００１７】
好ましくは、前記ファン軸５３の上には前記ファンプーリ４５とベルトによって連結された協働プーリ５２が固定的に設置され、前記冷却チャンバ４９の後壁には送風箱５１が固定的に設置され、前記送風箱５１の中にはファンチャンバ５５が設置され、前記ファン軸５３が前記ファンチャンバ５５の中に伸びており、且つ前記ファン５４と固定的に連結されている。
【００１８】
本発明の断熱手袋を素早く冷却する設備の実施例は、以下のステップを含み：
【００１９】
手袋をつけた手を前記手袋チャンバ２９の中に伸び、前記モータ４６を起動し、前記扇形ギア４０と、前記締付ギア４２の回転によって、前記伝動軸３５は回転させ、前記伝動軸３５は前記減速器４３に減速された後、前記前記減速軸６３を回転連動させ、前記減速軸６３が前記伝動プーリ４４と前記カム軸１６とによって前記カム１７を回転させ、また、前記付勢板１５と前記第一ラック１１とによって前記回転盤ギア２５を回転させ、前記回転盤ギア２５が前記ヒンジ連結棒２６と前記第二スライドブロック２３とによって、前記緩衝ブロック２２を前記手袋チャンバ２９の中に伸びさせ、前記緩衝装置が前記第二緩衝装置の中に位置する前記締付ブロック３１を前記手袋チャンバ２９の中に伸びさせ、前記締付ブロック３１が前記手袋２７を締め付け、前記モータ４６が止め、手を出し、前記モータ４６を起動し、前記カム１７が初期位置に回転することで、前記緩衝装置と前記第二緩衝装置とを前記手袋チャンバ２９の中から離脱させ、前記扇形ギア４０と前記切替ギア４８とが噛み合い、また前記切替軸４７と、前記切替ブロック３４と、前記切替連結棒３０とによって、前記切替箱５８を前記冷却装置４００の下側に回転させ、前記ファンプーリ４５が前記協働プーリ５２と前記ファン軸５３とによって前記ファン５４を連動させ、送風冷却を行い、この時、手をつけ穴６０に伸び  、前記手袋チャンバ２９の中に入り、手袋をつける。
【００２０】
本発明はシンプルな構成と簡単な使用方法を有し、作業用に加熱され、すぐには使用できない断熱手袋を素早く作業可能の温度に冷却させ、効率を高め、また、手袋が加熱された後、表面温度は高いため、直接手で取りにくく、本発明では締付装置を提供し、簡単に手袋を取り外せる。
【００２１】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。